(57)【要約】【課題】腕時計のような小型の時計に適用でき、受信動作中のシステムダウンを防止できる電子時計の提供。【解決手段】電子時計は、複数の位置情報衛星の衛星信号を時分割処理で捕捉する相関器を備えて捕捉した衛星信号を受信する受信モジュール３０と、受信した衛星信号から少なくとも時刻情報を含む所定情報を取得する情報取得部と、取得情報を表示する表示部と、二次電池９２と、電池電圧を検出する電池電圧検出部９３と、制御部４０を備える。制御部は、衛星信号の捕捉動作の開始後、電池電圧が第１閾値未満に低下した場合は捕捉動作を終了し、所定条件の衛星信号を捕捉した場合は他の衛星信号の捕捉動作を終了する捕捉動作制御部４６と、捕捉した衛星信号のデコード処理の開始後、電池電圧が第１閾値より大きな第２閾値未満に低下した場合又はデコード処理で所定情報が取得された場合にデコード処理を終了するデコード処理制御部４７とを備える。【選択図】図２
2010230372.tif 000002
【特許請求の範囲】
【請求項１】
複数の位置情報衛星からの衛星信号を時分割処理で捕捉する相関器を備え、捕捉した前記衛星信号を受信する受信部と、
前記受信部が受信した衛星信号に基づいて少なくとも時刻情報を含む所定情報を取得する情報取得部と、
取得した情報を表示する表示部と、
電源となる電池と、
前記電池の電圧を検出する電池電圧検出部と、
制御部と、を備え、
前記制御部は、
前記相関器を作動させて前記位置情報衛星からの衛星信号の捕捉動作を開始した後、前記電池の電圧が第１閾値未満に低下した場合は衛星信号の捕捉動作を終了し、所定条件の衛星信号を捕捉した場合は、捕捉した衛星信号以外の衛星信号に対する捕捉動作を終了する捕捉動作制御部と、
捕捉した衛星信号のデコード処理を開始した後、前記電池の電圧が前記第１閾値よりも大きな第２閾値未満に低下した場合、または、前記デコード処理で前記所定情報が取得された場合に、前記デコード処理を終了するデコード処理制御部と、を備える
ことを特徴とする電子時計。
【請求項２】
請求項１に記載の電子時計において、
前記捕捉動作制御部は、前記衛星信号の捕捉動作開始後、予め設定された捕捉動作期間内に、所定条件の衛星信号を捕捉できない場合にも、前記捕捉動作を終了する
ことを特徴とする電子時計。
【請求項３】
請求項１または請求項２に記載の電子時計において、
前記デコード処理制御部は、前記捕捉動作開始後、予め設定されたデコード処理期間が経過した場合にも、前記デコード処理を終了する
ことを特徴とする電子時計。
【請求項４】
請求項１から請求項３のいずれかに記載の電子時計において、
前記捕捉動作制御部は、前記所定条件の衛星信号を捕捉した場合として、３個以上の衛星信号を捕捉した場合に、捕捉した衛星信号以外の衛星信号に対する捕捉動作を終了する
ことを特徴とする電子時計。
【請求項５】
請求項１から請求項３のいずれかに記載の電子時計において、
前記捕捉動作制御部は、前記所定条件の衛星信号を捕捉した場合として、信号レベルが所定値以上の衛星信号を１個以上捕捉した場合に、捕捉した衛星信号以外の衛星信号に対する捕捉動作を終了する
ことを特徴とする電子時計。
【請求項６】
請求項１から請求項５のいずれかに記載の電子時計において、
前記デコード処理制御部は、前記衛星信号のデコード処理中に、所定条件の衛星信号を捕捉できなくなった場合にも、デコード処理を終了する
ことを特徴とする電子時計。
【請求項７】
複数の位置情報衛星からの衛星信号を時分割処理で捕捉する相関器を備え、捕捉した前記衛星信号を受信する受信部と、
前記受信部が受信した衛星信号に基づいて少なくとも時刻情報を含む所定情報を取得する情報取得部と、
取得した情報を表示する表示部と、
電源となる電池と、
前記電池の電圧を検出する電池電圧検出部と、
を備えた電子時計の制御方法であって、
前記相関器を作動させて前記位置情報衛星からの衛星信号の捕捉動作を開始した後、前記電池の電圧が第１閾値未満に低下した場合は衛星信号の捕捉動作を終了し、所定条件の衛星信号を捕捉した場合は、捕捉した衛星信号以外の衛星信号に対する捕捉動作を終了する捕捉動作制御工程と、
捕捉した衛星信号のデコード処理を開始した後、前記電池の電圧が前記第１閾値よりも大きな第２閾値未満に低下した場合、または、前記デコード処理で前記所定情報が取得された場合に、前記デコード処理を終了するデコード処理制御工程と、
を備えることを特徴とする電子時計の制御方法。
【発明の詳細な説明】
【技術分野】
【０００１】
本発明は、例えばＧＰＳ衛星等の位置情報衛星からの衛星信号を受信して現在の日付や時刻を求める電子時計および電子時計の制御方法に関するものである。
【背景技術】
【０００２】
自己位置を測位するためのシステムであるＧＰＳ（Global Positioning System）システムでは、地球を周回する軌道を有するＧＰＳ衛星が用いられており、この衛星から信号を受信して受信機の現在位置を測位する測位装置が実用化されている。
また、ＧＰＳ衛星には、原子時計が備えられている。このため、ＧＰＳ衛星は、極めて正確な時刻情報（ＧＰＳ時刻、衛星時刻情報）を有している。
このため、ＧＰＳ衛星からの信号（航法メッセージ）を受信して位置情報および時刻情報を取得して表示するＧＰＳ受信装置が提案されている（特許文献１、２参照）。
【０００３】
ここで、特許文献１、２は、いずれも各衛星別に用意された直列コード相関器を持つマッチドフィルター相関方式によって衛星信号を捕捉して受信処理を行っている。
そして、特許文献１には、測位開始からの経過時間Ｔと、電池電圧の変化の関係を示すデータテーブルを用意しておき、経過時間Ｔによって求められる電池電圧が所定のしきい値を下回ると、処理回路数を減らすことで電池電圧の極端な低下を防止し、システムダウンを回避することが記載されている。
【０００４】
また、特許文献２には、電池残量に応じて動作させる受信チャネル数を調整することで、システムダウンを回避することが記載されている。
【先行技術文献】
【特許文献】
【０００５】
【特許文献１】特開２００９−２８７９号公報
【特許文献２】特開２００７−２７１５４４号公報
【発明の概要】
【発明が解決しようとする課題】
【０００６】
しかしながら、前記特許文献１、２は何れも複数の相関器を備えるマッチドフィルター相関方式を採用しているため、ＧＰＳ衛星の数に対応した相関器群が必要となり、回路サイズが大型化し、腕時計のような小型の機器に組み込むことが難しいという問題がある。
【０００７】
また、特許文献１では、受信経過時間に伴う電池電圧の変化を記録したデータテーブルを用いて処理回路数を調整している。ここで、電池電圧の変化は、搭載された電池の温度変化や経年変化等にも影響される。このため、温度変化等に対応した複数のデータテーブルを用意しないと、データテーブルのデータに比べて実際の電圧低下が大きくなってシステムダウンが生じてしまうという問題もある。また、前記複数のデータテーブルを用意する場合には、その準備作業が煩雑になり、かつ、メモリー容量も多く必要となるため、メモリー配置スペースにも制約がある腕時計のような小型の機器には適用できないという問題もある。
【０００８】
さらに、特許文献２では、起動時の電圧検出で受信チャネル数（処理回路数）を限定しているが、搭載電池の電圧低下量は温度変動や経年劣化により変化するため、起動時に所定の電圧が確保されていても、受信動作中に大きく電圧が低下して突然シャットダウンしてしまうという問題もある。
【０００９】
本発明の目的は、腕時計のような小型の時計にも適用でき、かつ、受信動作中のシステムダウンを防止できる電子時計および電子時計の制御方法を提供することにある。
【課題を解決するための手段】
【００１０】
本発明の電子時計は、複数の位置情報衛星からの衛星信号を時分割処理で捕捉する相関器を備え、捕捉した前記衛星信号を受信する受信部と、前記受信部が受信した衛星信号に基づいて少なくとも時刻情報を含む所定情報を取得する情報取得部と、取得した情報を表示する表示部と、電源となる電池と、前記電池の電圧を検出する電池電圧検出部と、制御部と、を備え、前記制御部は、前記相関器を作動させて前記位置情報衛星からの衛星信号の捕捉動作を開始した後、前記電池の電圧が第１閾値未満に低下した場合は衛星信号の捕捉動作を終了し、所定条件の衛星信号を捕捉した場合は、捕捉した衛星信号以外の衛星信号に対する捕捉動作を終了する捕捉動作制御部と、捕捉した衛星信号のデコード処理を開始した後、前記電池の電圧が前記第１閾値よりも大きな第２閾値未満に低下した場合、または、前記デコード処理で前記所定情報が取得された場合に、前記デコード処理を終了するデコード処理制御部と、を備えることを特徴とする。
【００１１】
ここで、少なくとも時刻情報を含む所定情報とは、受信モードが時刻情報のみを受信する測時モードの場合には時刻情報を意味し、時刻情報に加えて位置情報を受信する測位モードの場合には時刻情報および位置情報を意味する。
また、第１閾値とは、電子時計の制御部がシステムダウンとなる電圧レベルよりも高い値であればよく、具体的には各時計において衛星信号の捕捉動作時の電圧降下特性に応じて設定すればよい。
さらに、第２閾値は、第１閾値よりも大きな値であればよく、具体的には、各時計においてデコード処理時の電圧降下特性に応じて設定すればよい。
また、所定条件の衛星信号を捕捉した場合の所定条件とは、具体的には、衛星信号の信号レベルと、捕捉数である。信号レベルは、受信信号のＳＮＲ等で設定でき、受信信号から情報をデコードできるレベル等で設定すればよい。また、捕捉数は、受信モードによって設定すればよく、時刻情報を取得する測時モードでは例えば１個以上、位置情報も取得する測位モードでは例えば３個以上に設定すればよい。
【００１２】
本発明によれば、スライディング相関方式等のように、所定数の相関器を用いて時分割処理で衛星信号を捕捉する方式を採用しているので、マッチドフィルター相関方式に比べて相関器の数を大幅に少なくでき、回路サイズも小さくできる。また、電源となる電池の電圧を検出する電池電圧検出部を備えているため、特許文献１のようなデータテーブルを用意する必要が無く、このテーブルを記憶するためのメモリーも不要にでき、この点でも回路サイズを小さくできる。このため、腕時計のような小型の時計に適した構成とすることができる。
【００１３】
また、捕捉動作制御部は、衛星信号の捕捉動作を開始後、電池電圧検出部で検出した電池電圧が第１閾値未満に低下した場合には捕捉動作を終了している。このため、本発明では、電池電圧が第１閾値未満に低下することがなく、システムダウンを確実に防止することができる。
さらに、本発明では、電池電圧が第１閾値未満に低下しない状態で捕捉動作を継続している際に、所定条件の衛星信号を捕捉した場合は、捕捉した衛星信号以外の衛星信号に対する前記捕捉動作を終了している。このため、受信環境が良好な場合には、迅速に所定条件の衛星信号を捕捉でき、捕捉開始から所定の時間が経過するまで、すべての衛星の捕捉動作を継続するように制御する場合に比べて、捕捉動作時間を短くすることもでき、消費電力を低減できる。
すなわち、本発明は、受信動作を実行した場合には、電池電圧が低下してシステムダウンが生じることがないように、電池電圧検出部で電池電圧を検出し、第１閾値未満になった時点で捕捉動作を終了するとともに、電池電圧が確保されている間は、所定条件の衛星信号を捕捉するまで捕捉動作を継続しているので、１回の受信動作中に時刻情報等の取得に必要な衛星信号を受信できる可能性も高くできる。
【００１４】
また、本発明では、捕捉した衛星信号のデコード処理を行う際に、前記電池の電圧が前記第２閾値未満に低下した場合、または、前記デコード処理で所定情報が取得された場合に、前記デコード処理を終了しているので、デコード処理時のシステムダウンも確実に防止でき、かつ、効率的なデコード処理を行えて電力消費も低減できる。
特に、所定情報が取得されない場合に、電池電圧が第２閾値未満になると、デコード処理を終了しているので、デコード処理中に衛星信号を捕捉できなくなった場合に、デコード処理を継続することがなくなり、無駄な電力消費を無くすことができる。特に、第２閾値は第１閾値よりも大きな値に設定しているので、デコード処理がある程度継続した時点でその処理を終了することができる。すなわち、デコード処理は、相関器を作動させる必要がある衛星信号の捕捉動作に比べると消費電力は小さい。このため、第２閾値を第１閾値と同じレベルにすると、衛星信号を捕捉できなくなった場合に、非常に長時間デコード処理を継続してしまうおそれがある。これに対し、本発明は、第２閾値を第１閾値よりも高い値に設定しているので、衛星信号を捕捉できなくなった場合にデコード処理を適切な時間で終了することができる。
そして、電力消費を抑えることで、持続時間の長い電子時計を提供することができる。
【００１５】
本発明の電子時計において、前記捕捉動作制御部は、前記衛星信号の捕捉動作開始後、予め設定された捕捉動作期間内に、所定条件の衛星信号を捕捉できない場合にも、前記捕捉動作を終了することが好ましい。
ここで、前記捕捉動作期間は、一般的な受信環境において、所定条件の衛星信号を捕捉できる期間に基づいて設定すればよく、例えば、通常の受信環境で衛星信号を捕捉できる期間の１．５〜２倍に設定すればよい。
【００１６】
本発明では、捕捉動作期間内に、所定条件の衛星信号を捕捉できない場合にも、捕捉動作を終了しているので、仮に、電池電圧が第１閾値以上に維持されている場合であっても、無駄な捕捉動作を継続することがないので、消費電力を削減することができる。すなわち、電池電圧が第１閾値以上に維持されている間は衛星信号の捕捉動作を継続することもできる。この場合、例えば、時計が屋内に配置されていて衛星信号を受信できない環境にある場合には、捕捉動作を継続しても信号を受信する可能性が極めて低いため、電力を無駄に消費してしまうことになる。
一方、本発明では、捕捉動作開始後、所定条件の衛星信号を捕捉できていない場合、前記捕捉動作期間が経過した時点で捕捉動作を終了しているので、無駄な捕捉動作を継続することがなく、電力の消費も抑えることができる。
【００１７】
本発明の電子時計において、前記デコード処理制御部は、前記捕捉動作開始後、予め設定されたデコード処理期間が経過した場合にも、前記デコード処理を終了することが好ましい。
ここで、前記デコード処理期間は、一般的な受信環境において、所定情報を取得できる期間に基づいて設定すればよく、例えば、通常の受信環境で時刻情報および位置情報を取得できる期間の１．５〜２倍に設定すればよい。
【００１８】
本発明では、デコード処理期間内に、所定情報が取得できない場合にも、デコード処理を終了しているので、仮に、捕捉していた衛星信号を脱捕して受信できなくなった場合に、無駄なデコード処理を継続することがないので、消費電力を削減することができる。すなわち、電池電圧が第２閾値以上に維持されている間は衛星信号のデコード処理を継続することもできる。この場合、例えば、受信中に利用者が屋内に移動してしまい衛星信号を受信できなくなった場合には、デコード処理を継続しても信号を受信する可能性が極めて低いため、電力を無駄に消費してしまうことになる。
一方、本発明では、デコード処理開始後、所定情報を取得できていない場合、前記デコード処理期間が経過した時点でデコード処理を終了しているので、無駄なデコード処理を継続することがなく、電力の消費も抑えることができる。
【００１９】
本発明の電子時計において、前記捕捉動作制御部は、前記所定条件の衛星信号を捕捉した場合として、３個以上の衛星信号を捕捉した場合に、捕捉した衛星信号以外の衛星信号に対する捕捉動作を終了することを特徴とするものでもよい。
【００２０】
本発明では、前記所定条件の衛星信号を捕捉した場合として、３個以上の衛星信号を捕捉した場合に捕捉した衛星信号以外の衛星信号に対する捕捉動作を終了しているので、すべての衛星の捕捉を継続する場合に比べて消費電力を低減できる。また、捕捉した３個以上の衛星信号をデコードできるため、衛星信号から時刻情報を受信するだけでなく、電子時計の現在位置を測定する測位処理を行うこともできる。この測位処理で現在位置が判明すれば、例えば、その場所のタイムゾーン（協定世界時ＵＴＣに対する時差）を把握することもでき、受信した時刻情報に時差を加算することで、現在地のローカルタイムを表示することもできる。
すなわち、時刻情報だけでなく、位置情報も取得する測位モードで受信する場合には、本発明の条件に設定すればよい。
【００２１】
本発明の電子時計において、前記捕捉動作制御部は、前記所定条件の衛星信号を捕捉した場合として、信号レベルが所定値以上の衛星信号を１個以上捕捉した場合に、捕捉した衛星信号以外の衛星信号に対する捕捉動作を終了するものでもよい。
【００２２】
本発明では、信号レベルが所定値以上の衛星信号を１個以上捕捉できた場合に、捕捉した衛星信号以外の衛星信号に対する捕捉動作を終了しているので、すべての衛星の捕捉を継続する場合に比べて消費電力を低減でき、かつ、その衛星信号から時刻情報を十分に取得することができる。すなわち、測位を行わずに、時刻情報のみを取得する測時モードで受信する場合には、本発明の条件に設定すればよい。
【００２３】
本発明の電子時計において、前記デコード処理制御部は、前記衛星信号のデコード処理中に、所定条件の衛星信号を捕捉できなくなった場合にも、デコード処理を終了することが好ましい。
【００２４】
捕捉動作で捕捉した所定条件の衛星信号を捕捉できなくなった場合、それ以上、デコード処理を継続しても所定情報を取得することができる可能性が低い。本発明では、このような場合に、デコード処理を終了しているので、無駄なデコード処理を無くすことができ、電力消費を抑えることができる。
【００２５】
本発明は、複数の位置情報衛星からの衛星信号を時分割処理で捕捉する相関器を備え、捕捉した前記衛星信号を受信する受信部と、前記受信部が受信した衛星信号に基づいて少なくとも時刻情報を含む所定情報を取得する情報取得部と、取得した情報を表示する表示部と、電源となる電池と、前記電池の電圧を検出する電池電圧検出部と、を備えた電子時計の制御方法であって、前記相関器を作動させて前記位置情報衛星からの衛星信号の捕捉動作を開始した後、前記電池の電圧が第１閾値未満に低下した場合は衛星信号の捕捉動作を終了し、所定条件の衛星信号を捕捉した場合は、捕捉した衛星信号以外の衛星信号に対する捕捉動作を終了する捕捉動作制御工程と、捕捉した衛星信号のデコード処理を開始した後、前記電池の電圧が前記第１閾値よりも大きな第２閾値未満に低下した場合、または、前記デコード処理で前記所定情報が取得された場合に、前記デコード処理を終了するデコード処理制御工程と、を備えることを特徴とする。
【００２６】
本発明の電子時計の制御方法においても、前記電子時計と同じ作用効果を奏することができる。
【図面の簡単な説明】
【００２７】
【図１】本発明に係る電子時計であるＧＰＳ付き腕時計を示す概略図である。
【図２】第１実施形態のＧＰＳ付き腕時計の回路構成を示すブロック図である。
【図３】第１実施形態の受信処理手順を示すフローチャートである。
【図４】比較例における電池電圧および衛星信号の受信状態を説明する図である。
【図５】比較例における電池電圧および衛星信号の受信状態を説明する図である。
【図６】第１実施形態の測位モード時の電池電圧および衛星信号の受信状態を説明する図である。
【図７】第１実施形態の測時モード時の電池電圧および衛星信号の受信状態を説明する図である。
【図８】第２実施形態の受信処理手順を示すフローチャートである。
【図９】第３実施形態の受信処理手順を示すフローチャートである。
【発明を実施するための形態】
【００２８】
［第１実施形態］
以下、本発明の第１実施形態を、添付図面等を参照しながら詳細に説明する。
図１は、本発明に係る電子時計であるＧＰＳ衛星信号受信装置付き腕時計１（以下「ＧＰＳ付き腕時計１」という）を示す概略図である。
図１に示すように、ＧＰＳ付き腕時計１は、文字板２および指針３からなる時刻表示部を備える。文字板２の一部には開口が形成され、ＬＣＤ表示パネル等からなるディスプレイ４が組み込まれている。従って、ＧＰＳ付き腕時計１は、指針３およびディスプレイ４を備えるコンビネーション時計である。
【００２９】
指針３は、秒針、分針、時針等を備えて構成され、ステップモーターで歯車を介して駆動される。
ディスプレイ４はＬＣＤ表示パネル等で構成され、後述するように時差データを表示する他、現在時刻やメッセージ情報等も表示可能とされている。
そして、ＧＰＳ付き腕時計１は、地球の上空を所定の軌道で周回している複数のＧＰＳ衛星５からの衛星信号を受信して衛星時刻情報を取得し、内部時刻情報を修正したり、測位情報つまり現在位置をディスプレイ４に表示できるように構成されている。
また、ＧＰＳ付き腕時計１には、入力装置（外部操作部材）であるボタン６やリュウズ７が設けられている。
【００３０】
ＧＰＳ衛星５は、地球の上空の所定の軌道上を周回しており、１．５７５４２ＧＨｚのマイクロ波（Ｌｌ波）に航法メッセージを重畳させて地上に送信している。ここで、ＧＰＳ衛星５は本発明における位置情報衛星の一例であり、航法メッセージが重畳された１．５７５４２ＧＨｚのマイクロ波（以下、「衛星信号」という）は本発明における衛星信号の一例である。
【００３１】
現在、約３０個のＧＰＳ衛星５が存在しており、衛星信号がどのＧＰＳ衛星５から送信されたかを識別するために、各ＧＰＳ衛星５はＣ／Ａコード（Coarse/Acquisition Code）と呼ばれる１０２３ｃｈｉｐ（１ｍｓ周期）の固有のパターンを衛星信号に重畳する。Ｃ／Ａコードは、各ｃｈｉｐが＋１又は−１のいずれかでありランダムパターンのように見える。従って、衛星信号と各Ｃ／Ａコードのパターンの相関をとることにより、衛星信号に重畳されているＣ／Ａコードを検出することができる。
【００３２】
また、ＧＰＳ衛星５は原子時計を搭載しており、衛星信号には原子時計で計時された極めて正確な時刻情報（以下、「ＧＰＳ時刻情報」という）が含まれている。また、地上のコントロールセグメントにより各ＧＰＳ衛星５に搭載されている原子時計のわずかな時刻誤差が測定されており、衛星信号にはその時刻誤差を補正するための時刻補正パラメータも含まれている。そのため、ＧＰＳ付き腕時計１に内蔵された衛星信号受信装置（以下、「ＧＰＳ受信機」という）は、１つのＧＰＳ衛星５から送信された衛星信号を受信し、その中に含まれるＧＰＳ時刻情報と時刻補正パラメータを使用して内部時刻を正確な時刻に修正することができる。
【００３３】
衛星信号にはＧＰＳ衛星５の軌道上の位置を示す軌道情報も含まれている。ＧＰＳ受信機は、ＧＰＳ時刻情報と軌道情報を使用して測位計算を行うことができる。測位計算は、ＧＰＳ受信機の内部時刻にある程度の誤差が含まれていることを前提として行われる。すなわち、ＧＰＳ受信機の３次元の位置を特定するためのｘ，ｙ，ｚパラメータに加えて時刻誤差も未知数になる。そのため、ＧＰＳ受信機は、一般的には４つ以上のＧＰＳ衛星からそれぞれ送信された衛星信号を受信し、その中に含まれるＧＰＳ時刻情報と軌道情報を使用して測位計算を行う。
【００３４】
［ＧＰＳ付き腕時計の回路構成］
図２は、第１実施形態のＧＰＳ付き腕時計１の回路構成について説明するための図である。
ＧＰＳ付き腕時計１は、受信部である受信モジュール３０、ＧＰＳアンテナ２７、時刻表示装置８０及び電源供給装置９０を含んで構成されている。
【００３５】
［受信モジュールの構成］
受信モジュール３０は、ＧＰＳアンテナ２７が接続される。ＧＰＳアンテナ２７は、複数のＧＰＳ衛星５からの衛星信号を受信するアンテナである。
また、受信モジュール３０は、ＲＦ（Radio Frequency：無線周波数）部５０と、ベースバンド部６０を含んで構成されている。
ＲＦ部５０は、一般的なＧＰＳ受信装置におけるものと同じであるため、説明を省略する。このＲＦ部５０では、受信した衛星信号をデジタル信号に変換し、ベースバンド部６０に出力する。
【００３６】
ベースバンド部６０は、ＤＳＰ（Digital Signal Processor）６１、ＣＰＵ（Central Processing Unit）６２、ＳＲＡＭ（Static Random Access Memory）６３、ＲＴＣ（リアルタイムクロック）６４を含んで構成されている。また、ベースバンド部６０には、温度補償回路付き水晶発振回路（ＴＣＸＯ：Temperature Compensated Crystal Oscillator）６５やフラッシュメモリー６６等が接続されている。
【００３７】
温度補償回路付き水晶発振回路（ＴＣＸＯ）６５は、温度に関係なくほぼ一定の周波数の基準クロック信号を生成する。
フラッシュメモリー６６には時差情報が記憶されている。時差情報は、地理情報が分割された複数の領域の各々の時差が定義された情報である。
【００３８】
ベースバンド部６０は、ＲＦ部５０が変換したデジタル信号（中間周波数帯の信号）からベースバンド信号を復調（デコード）する処理を行う。
また、ベースバンド部６０は、衛星信号を捕捉するために、各Ｃ／Ａコードと同一のパターンのローカルコードを発生し、ベースバンド信号に含まれる各Ｃ／Ａコードとローカルコードの相関をとる処理を行う。そして、ベースバンド部６０は、各ローカルコードに対する相関値がピークになるようにローカルコードの発生タイミングを調整し、相関値が閾値以上となる場合にはそのローカルコードのＧＰＳ衛星５に同期（すなわち、ＧＰＳ衛星５からの衛星信号を捕捉）したものと判断する。
【００３９】
ここで、ＧＰＳシステムでは、すべてのＧＰＳ衛星５が異なるＣ／Ａコードを用いて同一周波数の衛星信号を送信するＣＤＭＡ（Code Division Multiple Access）方式を採用している。従って、受信した衛星信号に含まれるＣ／Ａコードを判別することで、捕捉可能なＧＰＳ衛星５を検索（サーチ）することができる。
また、本実施形態では、相関方式としてスライディング相関方式を採用しており、主にＤＳＰ６１において実行されている。従って、ＤＳＰ６１が相関器として機能している。
【００４０】
さらに、ベースバンド部６０は、捕捉したＧＰＳ衛星５のＣ／Ａコードと同一のパターンのローカルコードとベースバンド信号をミキシングして航法メッセージを復調（デコード）し、航法メッセージに含まれる軌道情報やＧＰＳ時刻情報等の衛星情報を取得してＳＲＡＭ６３に記憶する。
【００４１】
航法メッセージに含まれる軌道情報やＧＰＳ時刻情報は、本発明における位置情報、時刻情報の一例であり、受信モジュール３０は、本発明における受信部として機能する。また、受信モジュール３０のベースバンド部６０は、位置情報や時刻情報を取得しているため、本発明における情報取得部としても機能する。
【００４２】
なお、ベースバンド部６０の動作は、温度補償回路付き水晶発振回路（ＴＣＸＯ）６５が出力する基準クロック信号に同期する。ＲＴＣ６４は、衛星信号を処理するためのタイミングを生成するものである。このＲＴＣ６４は、温度補償回路付き水晶発振回路（ＴＣＸＯ）６５から出力される基準クロック信号でカウントアップされる。
【００４３】
［時刻表示装置の構成］
時刻表示装置８０は、制御部（ＣＰＵ）４０及び水晶振動子４３を含んで構成されている。
【００４４】
制御部４０は、記憶部４１、発振回路４２、駆動回路４４、４５、捕捉動作制御部４６、デコード処理制御部４７を備え、各種制御を行う。
【００４５】
記憶部４１には内部時刻情報が記憶されている。内部時刻情報は、ＧＰＳ付き腕時計１の内部で計時される時刻の情報である。内部時刻情報は、水晶振動子４３および発振回路４２によって生成される基準クロック信号によって更新される。従って、受信モジュール３０への電力供給が停止されていても、内部時刻情報を更新して指針３の運針を継続することができるようになっている。
駆動回路４４は、指針３の動作を制御する。駆動回路４５は、ディスプレイ４の表示を制御する。
【００４６】
捕捉動作制御部４６およびデコード処理制御部４７は、受信モジュール３０を制御して受信処理を実行する。すなわち、捕捉動作制御部４６は、制御信号を受信モジュール３０に送り、受信モジュール３０の受信動作を制御し、特に衛星信号を捕捉する動作を制御する。
デコード処理制御部４７も、受信モジュール３０の受信動作を制御し、特にベースバンド部６０におけるデコード処理を制御する。
【００４７】
ここで、受信処理には、時刻情報のみを取得する測時モードと、時刻情報および位置情報を取得する測位モードとがある。
測時モードの受信処理は、利用者が各ボタン６等を操作して行う手動受信時と、予め設定された受信時刻になった場合に自動的に行う自動受信時に実行される。また、測位モードの受信処理は、通常は、利用者が測位モードを選択する手動受信時のみに実行されるが、自動受信時にも実行されるようにしてもよい。
【００４８】
捕捉動作制御部４６およびデコード処理制御部４７は、測時モードの場合には、受信モジュール３０の動作を制御して衛星信号からＧＰＳ時刻情報を取得し、そのＧＰＳ時刻情報に基づいて内部時刻情報を修正して記憶部４１に記憶する。より具体的には、内部時刻情報は、取得したＧＰＳ時刻情報にＵＴＣパラメーターを加算することで求められるＵＴＣ（協定世界時）に修正される。
また、測位モードの場合には、受信モジュール３０の動作を制御し、ＧＰＳ時刻情報およびＵＴＣパラメーターと、位置情報に基づいてフラッシュメモリー６６から取得された時差データに基づいて、内部時刻情報を修正して記憶部４１に記憶する。
そして、制御部４０は、内部時刻情報が修正されると、駆動回路４４を介して指針３の指示を修正する。また、駆動回路４５を介してディスプレイ４に時刻や位置情報等を適宜表示する。従って、時刻表示装置８０によって、本発明の表示部が構成されている。
【００４９】
［電源供給装置の構成］
電源供給装置９０は、レギュレーター９１、二次電池９２、電池電圧検出部９３、充電制御回路９４、充電コイル９５を備えている。なお、充電コイル９５を設ける代わりにソーラーセル９６を設けてもよいし、充電コイル９５およびソーラーセル９６の両方を設けてもよい。
【００５０】
二次電池９２は、レギュレーター９１を介して、受信モジュール３０及び時刻表示装置８０等に駆動電力を供給する。
電池電圧検出部９３は、制御部４０からの制御信号によって作動されて二次電池９２の電圧を検出し、その検出結果を制御部４０に出力する。なお、電池電圧検出部９３は、受信動作が開始された後、連続的に電池電圧を検出しても良いし、所定間隔（サイクル）で検出しても良い。
【００５１】
充電制御回路９４は、充電コイル９５やソーラーセル９６と二次電池９２の間に配置され、充電コイル９５やソーラーセル９６から供給される電流による二次電池９２の充電を制御している。
【００５２】
［受信処理］
以下、第１実施形態のＧＰＳ付き腕時計１における受信処理の手順について、図３のフローチャートも参照して説明する。手動受信処理または自動受信処理が実行されると、捕捉動作制御部４６は、まず電池電圧検出部９３を作動して二次電池９２の電池電圧を検出して第１閾値Vbat１以上であるかを判断する（ステップ１、以下ステップを「Ｓ」と略す）。
ここで、電池電圧が第１閾値Vbat１未満であれば（Ｓ１でＮｏの場合）、捕捉動作制御部４６は衛星捕捉動作を終了し、駆動回路４４、４５を介して指針３やディスプレイ４により受信失敗を表示する（Ｓ２）。最初に電池電圧が第１閾値Vbat１以上であるかを検出することで、電池電圧が低い状態で受信動作が行われることを未然に防止できる。
【００５３】
Ｓ１で「Ｙｅｓ」と判定されると、捕捉動作制御部４６は、受信モジュール３０を起動し、ＧＰＳ衛星５から送信される衛星信号を捕捉（サーチ）する衛星捕捉動作を実行する（Ｓ３）。
具体的には、本実施形態では、スライディング相関器を用いているので、例えば３０個のＧＰＳ衛星５が存在する場合、まず、ベースバンド部６０において、衛星番号ＳＶを１から３０まで順次変更しながら衛星番号ＳＶのＣ／Ａコードと同一のパターンのローカルコードを発生させる。次に、ベースバンド部６０は、ベースバンド信号に含まれるＣ／Ａコードとローカルコードの相関値を計算する。ベースバンド信号に含まれるＣ／Ａコードとローカルコードが同じコードであれば相関値は所定のタイミングでピークを持つが、異なるコードであれば相関値はピークをもたず常にほぼゼロとなる。
ベースバンド部６０は、ベースバンド信号に含まれるＣ／Ａコードとローカルコードの相関値が最大になるようにローカルコードの発生タイミングを調整し、相関値が所定の閥値以上の場合には衛星番号ＳＶのＧＰＳ衛星５を捕捉したものと判断する。以上により、衛星の捕捉動作が行われる。
【００５４】
次に、捕捉動作制御部４６は、所定条件の衛星信号が捕捉できたか否かを判定する（Ｓ４）。
ここで、所定条件とは、受信モードによって設定され、捕捉した衛星信号の数や信号レベル（ＳＮＲ）で設定される。例えば、測位モードの場合には、ＳＮＲが所定レベル以上の衛星信号を、３個以上のＧＰＳ衛星５から捕捉した場合、所定条件の衛星信号を捕捉したと判定する。
また、測時モードの場合には、ＳＮＲが所定レベル以上の衛星信号を、１個以上のＧＰＳ衛星５から捕捉した場合、所定条件の衛星信号を捕捉したと判定する。
【００５５】
Ｓ４で「Ｎｏ」と判定された場合、捕捉動作制御部４６は、Ｓ１，Ｓ３，Ｓ４の処理を繰り返す。すなわち、電池電圧が第１閾値Vbat１未満になるまで、衛星捕捉動作を継続する。
Ｓ４で「Ｙｅｓ」と判定されると、捕捉動作制御部４６は、捕捉した衛星以外のサーチを禁止する（Ｓ５）。
【００５６】
Ｓ５によって捕捉動作が終了すると、デコード処理制御部４７が作動される。
デコード処理制御部４７は、まず、電池電圧検出部９３で検出される電池電圧が予め設定された第２閾値Vbat２以上であるかを判断する（Ｓ６）。
デコード処理制御部４７は、Ｓ６で「Ｎｏ」と判定された場合には、受信動作（デコード処理）を終了し、駆動回路４４、４５を介して指針３やディスプレイ４により受信失敗を表示する（Ｓ２）。
【００５７】
一方、デコード処理制御部４７は、Ｓ６で「Ｙｅｓ」と判定された場合には、衛星信号のデコード処理を実行する（Ｓ７）。
そして、デコード処理制御部４７は、デコード処理によって所望の情報が取得できたかを判定する（Ｓ８）。ここで、所望の情報とは、測時モードの場合には時刻情報であり、測位モードの場合には、時刻情報および測位用の位置情報である。
【００５８】
デコード処理制御部４７は、Ｓ８で所望の情報を取得できるまで（Ｓ８で「Ｙｅｓ」と判定されるまで）、または、Ｓ６で電池電圧が第２閾値Vbat２未満に低下することが検出されるまでは、Ｓ７の衛星信号デコード処理を続行する。
【００５９】
ここで、第２閾値Vbat２は、第１閾値Vbat１よりも大きな値とされている。このように第２閾値Vbat２を第１閾値Vbat１よりも大きくしているのは以下の理由からである。第１閾値Vbat１は、電池電圧がそれ以上低下するとシステムダウンを生じる可能性が高くなる値として設定している。特に、捕捉動作制御部４６で衛星捕捉処理を行っている場合には、スライディング相関器を作動させており、電力消費も大きく、電池電圧の単位時間あたりの電圧降下割合も大きいため、この第１閾値Vbat１未満になったら衛星捕捉処理を中止することでシステムダウンを防止する必要がある。
一方、デコード処理制御部４７によるデコード処理は、捕捉した衛星信号のデータを処理して時刻情報や測位情報を取得するものであるため、衛星捕捉処理に比べると電力消費も小さく、電池電圧の単位時間あたりの電圧降下割合も小さい。このため、第１閾値Vbat１未満に低下するまでデコード処理を継続すると、一旦捕捉した衛星信号を脱捕して受信できなくなった場合等に、データを取得できない状態で長時間デコード処理を継続してしまう。この場合、利用者も受信結果が分からない状態で長時間待つことになり、利便性が低下する。このため、デコード処理がある程度の時間継続しても情報を取得できない場合に、第１閾値Vbat１まで電池電圧が低下しなくてもデコード処理を中止できるように、第２閾値Vbat２を設定している。
【００６０】
デコード処理制御部４７は、Ｓ８で「Ｙｅｓ」と判定された場合、デコード処理を終了する。また、デコード処理制御部４７は、駆動回路４４、４５を介して、指針３やディスプレイ４により受信成功を表示し、かつ、その受信結果に伴い表示の修正を開始する（Ｓ９）。
例えば、位置情報および時刻情報を取得した場合には、位置情報に基づいて現在地の時差情報をフラッシュメモリー６６に記憶されている時差情報を参照して取得し、取得した時刻情報と前記時差情報とで現在地のローカルタイムを算出し、指針３等で表示する。
また、時刻情報のみを取得した場合には、利用者が時差情報を手動で入力している場合にはその時差情報、手動入力が無い場合には以前の測位時に取得した時差情報と、取得した時刻情報とで現在の時刻を算出し、指針３等で表示する。
以上により、測時モード、測位モードのいずれの場合も、受信処理が完了する。
【００６１】
次に、本実施形態における衛星信号の捕捉状態と電池電圧の変化について、図４〜７を参照して説明する。なお、図４〜７において、各衛星Ａ〜Ｆの点線部分はその衛星はサーチ中であり、まだ捕捉されていない状態を意味する。また、実線部分は、その衛星が捕捉されている状態を意味する。なお、図５において、一点鎖線は、その衛星のサーチを継続していた場合にはその時点で衛星を捕捉できたことを意味する。
【００６２】
まず、本実施形態の比較例として、Ｓ１の電池電圧が第１閾値Vbat１以上であるか否かの判定を行わずに、Ｓ４の所定条件の衛星が捕捉できたか否かのみで衛星捕捉処理を制御した場合について、図４を参照して説明する。
この比較例においても、図４（Ａ）に示すように、受信環境が良好であれば、システムダウンを生じさせる電圧Ｖthに電池電圧が低下する前に所定条件の衛星を捕捉でき、衛星捕捉動作（衛星サーチ処理）を終了することができる。図４（Ａ）では、測位モードであるため、６個の衛星Ａ〜Ｆを捕捉した場合に捕捉処理を終了している。この際、電池電圧は、捕捉動作を続行している間は徐々に降下するが、捕捉処理が終了すると一旦高くなる。その後、デコード処理が行われることで、電池電圧は降下するが、その降下割合は捕捉動作時よりも小さい。このため、通常、デコード処理終了時（測位終了時）まで電圧Ｖｔｈ未満に低下することはなく、システムダウンは生じない。
【００６３】
一方、受信環境が悪い場合には、図４（Ｂ）に示すように、所定条件の衛星を捕捉できずに衛星捕捉動作を継続しなければならない場合もあり、その場合、衛星のサーチ処理が継続することで電池電圧が降下し、システムダウンを生じてしまう。
また、図５に示すように、受信開始から所定時間が経過した時点で、サーチする衛星数を限定した場合、電圧降下は図５の点線で示すように全ての衛星サーチを続行した場合に比べると、ある程度抑制できる。ただし、捕捉対象を減少させるために、必要数の衛星を捕捉できる可能性も低下してしまう。例えば、図５は、時間経過に伴い、衛星Ｄ〜Ｆのサーチを禁止し、衛星Ｃのみをサーチし続けることで電源電圧の低下を防止しているが、衛星Ｄ〜Ｆは実際にはあと少しサーチを続けることで捕捉できた場合でも捕捉することができなくなり、捕捉できない衛星Ｃのサーチのみを続けることになってしまい、所定数の衛星信号を捕捉できる可能性が低下し、かつ、電力を無駄に消費してしまう。
【００６４】
これに対し、本実施形態では、図６（Ａ）に示すように、測位モードにおいて、電池電圧が第１閾値Vbat１未満に低下する前に、所定条件の衛星（具体的には３個の衛星）を捕捉できた場合には、捕捉動作制御部４６によって、条件成立時に他衛星の捕捉を禁止しているので、電池電圧がＶｔｈまで低下してシステムダウンが生じることを防止できる。
そして、デコード処理制御部４７は、電池電圧が第２閾値Vbat２以上に維持されている間、捕捉した３個の衛星信号のデコード処理を行い、所望の情報（例えば時刻情報）を取得できた場合に受信処理を終了している。これにより電池電圧も元のレベルに戻る。
また、図６（Ｂ）に示すように、衛星のサーチ処理中に、電池電圧が第１閾値Vbat１未満に低下すると、捕捉動作制御部４６は捕捉動作を終了するので、電池電圧も向上し、システムダウンを未然に防止できる。
【００６５】
また、測時モードにおいては、図７に示すように、捕捉動作制御部４６は、衛星信号ＡのようにＳＮＲが所定値未満の衛星信号を捕捉できた時点では他衛星の捕捉を禁止していないが、衛星ＢのようにＳＮＲが所定値以上の衛星信号を捕捉できた時点では他衛星の捕捉を禁止する。このため、そのまま捕捉を継続していた場合に比べて、電池電圧も高くなる。また、デコード処理制御部４７により時刻情報が取得されると、デコード処理も終了するため、電池電圧は元のレベルに戻る。
以上のように、本実施形態によれば、システムダウンは確実に防止される。
【００６６】
［第１実施形態の作用効果］
本実施形態によれば、ベースバンド部６０では、スライディング相関方式を採用し、所定数の相関器を用いて時分割処理で衛星信号を捕捉する方式を採用しているので、マッチドフィルター相関方式に比べて相関器の数を大幅に少なくでき、回路サイズも小さくできる。また、二次電池９２の電圧を検出する電池電圧検出部９３を備えているため、特許文献１のようなデータテーブルを不要にでき、このテーブルを記憶するためのメモリーも不要にできるため、回路サイズを小さくできる。このため、ＧＰＳ付き腕時計１のような小型の時計に適した構成とすることができる。
【００６７】
また、捕捉動作制御部４６は、Ｓ１において電池電圧が第１閾値Vbat１未満に低下したときには、捕捉動作を終了しているので、電池電圧の低下によるシステムダウンを確実に防止することができる。
さらに、デコード処理制御部４７は、Ｓ６において、電池電圧が第２閾値Vbat２未満に低下したときには、デコード処理を終了しているので、デコード処理時のシステムダウンも確実に防止できる。また、第２閾値Vbat２は第１閾値Vbat１よりも大きな値に設定しているので、デコード処理がある程度継続した時点でその処理を終了することができ、長時間デコード処理を継続することもなく、効率的なデコード処理を行えて電力消費も低減できる。このため、持続時間の長いＧＰＳ付き腕時計１とすることができる。
【００６８】
また、本実施形態の捕捉動作制御部４６は、所定条件の衛星が捕捉されるまでは、電池電圧が第１閾値Vbat１未満に低下しない限り、衛星捕捉を継続しているので、捕捉対象の衛星を限定してしまう場合に比べると、衛星を捕捉できる可能性が高まり、その分、情報の取得率も向上できる。
さらに、捕捉動作制御部４６は、所定条件の衛星信号を捕捉した後は、捕捉した衛星信号以外の衛星信号に対する捕捉動作を終了しているので、他の衛星信号に対する捕捉動作を継続した場合に比べて消費電力を低減できる。
【００６９】
さらに、測時モードおよび測位モードによって、Ｓ４やＳ８における条件を変更しているので、各受信モードにおいて必要最小限の衛星捕捉やデコード処理を行うことができ、受信処理を効率的に行うことができる。
【００７０】
［第２実施形態］
次に、本発明の第２実施形態について図８のフローチャートを参照して説明する。
第２実施形態は、第１実施形態に加えて、捕捉動作期間やデコード処理期間によっても受信動作を終了させている点のみが相違し、その他の構成や動作は同じであるため、同一部分に関しては説明を省略する。
【００７１】
第２実施形態の捕捉動作制御部４６は、Ｓ１で「Ｙｅｓ」と判定された後、捕捉動作期間が経過したか否かの判定を追加している（Ｓ１１）。捕捉動作期間は、一般的な受信環境において、所定条件の衛星信号を捕捉できる期間（例えば３０秒）に基づいて設定すればよく、例えば、１分などに設定できる。
そして、捕捉動作制御部４６は、所定条件の衛星が捕捉できない状態で、かつ、電池電圧が第１閾値Vbat１以上に維持されている場合でも、受信開始（衛星捕捉開始）から前記捕捉動作期間が経過した場合（Ｓ１１で「Ｙｅｓ」の場合）は、衛星捕捉動作を終了し、駆動回路４４、４５を介して指針３やディスプレイ４により受信失敗を表示する（Ｓ２）。
【００７２】
また、第２実施形態のデコード処理制御部４７は、Ｓ６で「Ｙｅｓ」と判定された後、デコード処理期間が経過したか否かの判定を追加している（Ｓ１２）。デコード処理期間は、一般的な受信環境において、所定条件の衛星信号をデコードできる期間に基づいて設定すればよい。前記デコード処理期間は、測時モードの場合、例えば１〜２分程度であり、測位モードでは、３〜５分程度である。
そして、デコード処理制御部４７は、所定情報が取得できない状態で、かつ、電池電圧が第２閾値Vbat２以上に維持されている場合でも、受信開始（衛星捕捉開始）から前記デコード処理期間が経過した場合（Ｓ１２で「Ｙｅｓ」の場合）は、デコード処理を終了し、駆動回路４４、４５を介して指針３やディスプレイ４により受信失敗を表示する（Ｓ２）。
【００７３】
［第２実施形態の作用効果］
このような第２実施形態によれば、前記第１実施形態の作用効果に加えて、捕捉動作期間やデコード処理期間が経過した場合も、捕捉動作やデコード処理を終了しているので、無駄な捕捉動作やデコード処理を継続することがなく、消費電力を削減することができる。
【００７４】
［第３実施形態］
次に、本発明の第３実施形態について図９のフローチャートを参照して説明する。
第３実施形態は、第１実施形態に加えて、デコード処理中に捕捉していた衛星信号を脱捕した場合にも受信動作を終了させている点のみが相違し、その他の構成や動作は同じであるため、同一部分に関しては説明を省略する。
【００７５】
第３実施形態のデコード処理制御部４７は、Ｓ６で「Ｙｅｓ」と判定された後、捕捉していた衛星信号を脱捕したか否かの判定を追加している（Ｓ２１）。すなわち、捕捉動作制御部４６による捕捉動作で捕捉した所定条件の衛星信号を捕捉できなくなった場合、それ以上、デコード処理を継続しても所定情報を取得することができる可能性が低い。
そこで、デコード処理制御部４７は、所定情報が取得できない状態で、かつ、電池電圧が第２閾値Vbat２以上に維持されている場合でも、衛星信号を脱捕した場合（Ｓ２１で「Ｙｅｓ」の場合）は、デコード処理を終了し、駆動回路４４、４５を介して指針３やディスプレイ４により受信失敗を表示する（Ｓ２）。
【００７６】
［第３実施形態の作用効果］
このような第３実施形態によれば、前記第１実施形態の作用効果に加えて、衛星信号を脱捕した場合に、デコード処理を終了しているので、無駄なデコード処理を無くすことができ、電力消費を抑えることができる。
【００７７】
［変形例］
なお、本発明は前記各実施形態に限定されず、本発明の要旨の範囲内で種々の変形実施が可能である。
例えば、前記第２実施形態において、Ｓ１１，Ｓ１２のいずれか一方のみを行うようにしてもよい。また、第２実施形態のようにＳ１１やＳ１２の判定を行う場合に、さらに第３実施形態の衛星信号の脱捕の判定を追加してもよい。
【００７８】
また、上述の実施形態は、位置情報衛星の例としてＧＰＳ衛星５について説明したが、本発明の位置情報衛星としては、ＧＰＳ衛星５だけではなく、ガリレオ（ＥＵ）、ＧＬＯＮＡＳＳ（ロシア）、北斗（中国）などの他の全地球的航法衛星システム（ＧＮＳＳ）や、ＳＢＡＳなどの静止衛星や準天頂衛星などの時刻情報を含む衛星信号を発信する位置情報衛星でも良い。
【００７９】
本発明の電子時計は、指針およびディスプレイを有するコンビネーション時計に限らず、指針のみを有するアナログ時計や、ディスプレイのみを有するデジタル時計に適用してもよい。さらに、本発明は、腕時計に限らず、懐中時計などの各種時計や、携帯電話機、デジタルカメラや各種携帯情報端末等の時計機能を備える電子機器に適用してもよい。
【符号の説明】
【００８０】
１…ＧＰＳ付き腕時計、３…指針、４…ディスプレイ、５…ＧＰＳ衛星、２７…ＧＰＳアンテナ、３０…受信モジュール、４０…制御部、４６…捕捉動作制御部、４７…デコード処理制御部、５０…ＲＦ部、６０…ベースバンド部、８０…時刻表示装置、９０…電源供給装置、９２…二次電池、９３…電池電圧検出部。
【図１】
2010230372.tif 000003
【図２】
2010230372.tif 000004
【図３】
2010230372.tif 000005
【図４】
2010230372.tif 000006
【図５】
2010230372.tif 000007
【図６】
2010230372.tif 000008
【図７】
2010230372.tif 000009
【図８】
2010230372.tif 000010
【図９】
2010230372.tif 000011